(57)【要約】【課題】包装箱内での瓶の破損を充分に防止することができると共に、包装箱内への出し入れがしやすい包装用枠を提供する。【解決手段】本包装用枠１は、瓶ａの胴体部の側面及び底面を被覆保持する保持枠２を備え、該保持枠２は、瓶ａの首部が露出するように開放される。保持枠２は、縦方向に半分に分割された第１保持枠２ａ及び第２保持枠２ｂから構成され、第１保持枠２ａ及び第２保持枠２ｂの合せ面の一方に凸部３ａが形成され、他方に凹部３ｂが形成され、該凸部３ａと凹部３ｂとにより、両保持枠２を着脱自在に係合する係合手段３ａ、３ｂを構成する。【選択図】図１
0003097616.tif 000002
【実用新案登録請求の範囲】
【請求項１】
瓶を被覆保持する保持枠を備え、該保持枠は、瓶の首部が露出するように開放されたことを特徴とする包装用枠。
【請求項２】
前記保持枠は、縦方向に半分に分割された第１保持枠及び第２保持枠から構成され、該第１保持枠及び第２保持枠の合せ面の一方に凸部が形成され、他方に凹部が形成され、該凸部と凹部とにより、両保持枠を着脱自在に係合する係合手段を構成することを特徴とする請求項１に記載の包装用枠。
【請求項３】
前記第１保持枠と第２保持枠の側端縁同士が互いに開閉自在に連結されたことを特徴とする請求項２に記載の包装用枠。
【請求項４】
請求項３記載の保持枠を１組として、２組の保持枠を互いに対向させて、２本の瓶を被覆保持するようにした包装用枠。
【請求項５】
前記保持枠の一部に、外方側に突出した隆起部が形成され、該隆起部の内面と収容される瓶とが非接触となるように、隆起部の内面に窪みが形成されたことを特徴とする請求項１〜４のいずれかに記載の包装用枠。
【考案の詳細な説明】
【０００１】
【考案の属する技術分野】
本考案は、外部からの衝撃を緩衝して瓶を保護する包装用枠に関する。
【０００２】
【従来の技術】
ガラス、陶器製等の瓶を包装箱に入れて搬送する際、そのまま瓶を包装箱内に収容すると、他の瓶や包装箱に衝突して瓶が破損してしまう。そこで、衝撃から瓶を保護するために、瓶の全面を緩衝効果のある包装用枠で覆ってから包装箱に収容している。包装用枠の緩衝効果により、瓶の破損を防ぐことができる。
【０００３】
【考案が解決しようとする課題】
しかしながら、従来の包装用枠は瓶の全周囲を覆ってしまうため、大きさ、形状、素材等の問題から、包装用枠を把持しにくい。そのため、瓶を包装した包装枠の包装箱への出し入れはしにくく、困難なものとなっていた。
【０００４】
そこで、本考案は、包装箱内での瓶の破損を充分に防止することができると共に、包装箱内への出し入れがしやすい包装用枠を提供することを目的とする。
【０００５】
【課題を解決するための手段】
上記目的を達成するために、本考案は、瓶を被覆保持する保持枠を備え、該保持枠は、瓶の首部が露出するように開放されたことを特徴とする包装用枠である。保持枠は、外部からの衝撃を和らげる緩衝性を備える素材から構成されていればよい。また、保持枠は、瓶収容時において瓶の首部を露出できる構造であればよく、瓶の胴体部全てを覆っている必要はないが、瓶の胴体部の大部分を覆う構造のほうが瓶の保護性能を高めることができるので好ましい。このように、本包装用枠は、瓶収容時に瓶の首部を露出させているので、瓶の首部をつかむことができ、瓶を包装用枠に収容しても把持しやすいものとできる。したがって、包装箱内への出し入れ作業がしやすくなる。なお、瓶の首部とは、瓶口に向かって細くなっている截頭略円錐状の部分のことであり、瓶の胴体部とは、瓶の首部より下方の太い部分のことである。
【０００６】
保持枠は、縦方向に分割された第１保持枠及び第２保持枠から構成される。保持枠の分割は、第１保持枠と第２保持枠との大きさが半々になるように、半分に分割するのが好ましい。保持枠を半分に分割すれば、第１保持枠及び第２保持枠の形状を同一とでき、保持枠の生産工程を容易なものとできる。
【０００７】
第１保持枠及び第２保持枠の合せ面に、両保持枠を着脱自在に係合する係合手段が設けられる。係合手段は、第１保持枠及び第２保持枠の合せ面の一方に形成された凸部と、他方に形成された凹部とにより構成される。なお、係合手段は、凸部と凹部に限定されるものではなく、その他の周知の係合手段を用いてもよい。
【０００８】
また、第１保持枠と第２保持枠の側端縁同士が互いに開閉自在に連結された構造としてもよい。第１保持枠と第２保持枠とを互いに開状態として一方の保持枠に瓶を嵌め込んだ後、他方の保持枠をかぶせて、両保持枠を閉状態とすることにより、瓶を簡単に収容することができる。
【０００９】
このように第１保持枠と第２保持枠の側端縁同士が互いに開閉自在に連結されたものを１組として、２組の保持枠を開状態で互いに対向させれば、２本の瓶を被覆保持することができる。
【００１０】
保持枠の一部には、外方側に突出した隆起部が形成され、該隆起部の内面と収容される瓶とが非接触となるように、隆起部の内面に窪みが形成される。隆起部の数は限定されるものではないが、保持枠の略全周にわたって形成するのが好ましい。隆起部は、外方側に隆起しているので、他の部分よりも先に外部の物と接触し、また、その内面が外方側に窪んでいるので、隆起部の内面と収容される瓶との間に空間が形成され、両者が非接触状態となる。したがって、隆起部は、外部からの衝撃に対してクッションのような働きをすることができるので、より効果的に外部の衝突を緩衝することができる。
【００１１】
なお、本包装用枠は、包装箱内に収容して使用する場合に限定されるものではなく、包装箱内に収容せずにそのままの状態で使用することもできる。
【００１２】
【考案の実施の形態】
以下、本考案の実施形態を図面に基づいて説明する。図１は本包装用枠１の斜視図、図２は本包装用枠１の正面図、図３は本包装用枠１の平面図、図４は本包装用枠１のＡ−Ａ断面図、図５は本包装用枠１を開いた状態の斜視図、図６は１本の便の保持状態を示す斜視図、図７は２組の本包装用枠１を対向させて重ね合わせた状態を示す図、図８は２本の瓶ａの保持状態を示す斜視図である。
【００１３】
図１〜５に示すように、本包装用枠１は、瓶ａの胴体部の側面及び底面を被覆保持する保持枠２を備え、保持枠２は、縦方向に半分に分割され、その側端縁同士が連続して形成された第１保持枠２ａ及び第２保持枠２ｂから構成される。第１保持枠２ａと第２保持枠２ｂとの合せ面には、両保持枠２ａ、２ｂを着脱自在に連結する係合手段３ａ、３ｂが設けられる。
【００１４】
保持枠２ａ、２ｂは、紙を原料として成型される。保持枠２は、その内面が瓶ａの外形状に略沿う形状に形成され、収容される瓶ａの首部が露出するように上方が開放された形状とされる。なお、保持枠２ａ、２ｂの素材としては、緩衝性を有する材料であれば適宜選択でき、例えば、ダンボール紙等の紙、発泡スチロールなどの発泡樹脂が挙げられる。保持枠２ａ、２ｂの成型方法としては種々の方法を採用可能であり、例えば、湿潤させたパルプを所定の形状に形成し、乾燥させて成形体を製造するパルプモールド法、板紙を加熱下でプレス成形する方法等がある。第１保持枠２ａと第２保持枠２ｂとは、その縦側端縁４ａ同士が連続して形成され、互いに開閉自在とされる。なお、底側端縁４ｃ同士を連結した形態としてもよい。
【００１５】
係合手段３ａ、３ｂは、第１保持枠２ａと第２保持枠２ｂとの合せ面のうち、両者が連結された縦側端縁４ａと反対側の縦側端縁４ｂの合せ面にそれぞれ形成される。係合手段３ａ、３ｂは、凸部３ａと凹部３ｂにより構成され、第１保持枠２ａの合せ面に凸部３ａが形成され、第２保持枠２ｂの合せ面に凹部３ｂが形成される。凸部３ａと凹部３ｂとを係合及び離脱させることにより、第１保持枠２ａ及び第２保持枠２ｂとを着脱自在に連結する。なお、係合手段３ａ、３ｂは、第１保持枠２ａ及び第２保持枠２ｂの合せ面であればどの部分に形成してもよく、また、その数も限定されるものではない。
【００１６】
保持枠２の一部に、外方側に突出した隆起部５が形成される。隆起部５の内面には、隆起部５の内面に外方側に向かって窪みが形成され、隆起部５の内面と収容された瓶ａとの間に空間が形成されて、隆起部５の内面と瓶ａとは非接触状態となっている。このような構造の保存枠に外部の物が衝突する際、隆起部５以外の面よりも先に隆起部５が接触すると共に、隆起部５の内面と収容される瓶ａとの間に空間があるので、隆起部５はクッションのような働きをすることができる。したがって、より効果的に外部の衝突を緩衝することができる。
【００１７】
上記ような構成の保持枠２ａ、２ｂにおいて、図６に示すように、第１保持枠２ａと第２保持枠２ｂとを開状態にし、一方の保持枠２の内部に１本の瓶ａの胴体部を嵌め込み、他方の保持枠２をかぶせて閉状態とし、両者の係合手段３ａ、３ｂを係合させれば、１本の瓶ａを被覆保持することができる。この際、瓶ａの首部は本包装用枠の上方の開放口６から露出した状態となっているので、瓶ａの首部をつかむことができ、把持しやすい。
【００１８】
また、図７及び図８に示すように、上記構成の保持枠２ａ、２ｂを１組として、第１保持枠２ａと第２保持枠２ｂにそれぞれ瓶ａを嵌め込み、その上からもう１組の保持枠２を対向させれば、２本の瓶ａを被覆保持することができる。
【００１９】
なお、本発明は上記実施形態に限定されるものではなく、本発明の範囲内で上記実施形態に多くの修正及び変更を加え得ることは勿論である。例えば、上記実施形態では、第１保持枠２ａと第２保持枠２ｂとをその縦側端縁同士を連続して形成したが、図９に示すように、連続させずに、第１保持枠２ａと第２保持枠２ｂとを別個独立に形成したものとしてもよい。第１保持枠２ａ及び第２保持枠２ｂの両側の縦側端縁の合せ面に、係合手段３ａ、３ｂを設けるのが好ましい。この場合、第１保持枠２ａ及び第２保持枠２ｂは、両側の縦側端縁のうちの一方に凸部３ａを設け、他方に凹部３ｂを設けた構造にすると、第１保持枠２ａと第２保持枠２ｂとを互いに対向させたときに凹部３ｂと凸部３ａとを係合させることができると共に、第１保持枠２ａと第２保持枠２ｂの形状を同一とすることができるので好ましい。
【００２０】
【考案の効果】
以上の説明から明らかな通り、本考案に係る包装用枠は、瓶収容時に瓶の首部を露出させた構造としているので、瓶を装用枠内に収容しても瓶の首部をつかむことができるので、持ちやすい。したがって、包装箱内への出し入れ作業をしやすくできる。
【図面の簡単な説明】
【図１】本実施形態の包装用枠の斜視図
【図２】同じくその正面図
【図３】同じくその平面図
【図４】Ａ−Ａ断面図
【図５】本実施形態の包装用枠を開いた状態の斜視図
【図６】１本の瓶の保持状態を示す斜視図
【図７】本実施形態に係る包装用枠を２組対向させて重ね合わせた状態を示す図
【図８】２本の瓶の保持状態を示す斜視図
【図９】他の実施形態の包装用枠を分解した状態を示す図
【符号の説明】
１　　包装用枠
２ａ　第１保持枠
２ｂ　第２保持枠
３　　係合手段
３ａ　凸部
３ｂ　凹部
４　　側端縁
５　　隆起部
ａ　　瓶
【図１】
0003097616.tif 000003
【図２】
0003097616.tif 000004
【図３】
0003097616.tif 000005
【図４】
0003097616.tif 000006
【図５】
0003097616.tif 000007
【図６】
0003097616.tif 000008
【図７】
0003097616.tif 000009
【図８】
0003097616.tif 000010
【図９】
0003097616.tif 000011
【手続補正書】
【提出日】平成15年7月9日(2003.7.9)
【手続補正１】
【補正対象書類名】明細書
【補正対象項目名】請求項１
【補正方法】変更
【補正の内容】
【請求項１】
内面が瓶の胴体部の外形状に略沿う形状に形成され、前記瓶の胴体部を被覆保持する保持枠を備え、該保持枠は、収容される前記瓶の首部が露出するように、上方に開放口が形成されたことを特徴とする包装用枠。